(57)【要約】【課題】販売者が妥当な価格を容易に推測することを可能にするとともに、この価格における売上げを予想することを容易にすることを可能にする販売情報提供サーバ、販売情報提供方法及び販売情報提供サーバ用プログラムを提供することを目的とする。【解決手段】販売者が使用する販売者端末１００と通信可能に接続され、この販売者が扱う商品の価格に関する情報を提供する販売情報提供サーバ１０は、商品に関するデータと、当該商品の現在の価格に関する価格データと、を対応付けて蓄積した商品価格データベースを有し、販売者端末１００から指定された価格を受信し、この指定された価格に応じた商品の販売予測確率を、商品価格データベースを参照することで算出し、算出した販売予測確率を販売者端末１００に送信する。【選択図】図１
2017021665.tif 000002
【特許請求の範囲】
【請求項１】
販売者が使用する販売者端末と通信可能に接続され、
前記販売者が扱う商品の価格に関する情報を提供する販売情報提供サーバであって、
商品に関するデータと、当該商品の現在の価格に関する価格データと、を対応付けて蓄積した商品価格データベースと、
前記販売者端末から指定された価格を受信し、当該指定された価格に応じた当該商品の販売予測確率を、前記商品価格データベースを参照することで算出する販売予測確率算出手段と、
算出した前記販売予測確率を、前記販売者端末に送信する販売予測確率送信手段と、
を備えることを特徴とする販売情報提供サーバ。
【請求項２】
前記販売予測確率算出手段は、市場での価格を使用した曲線あてはめにより販売予測確率を算出することを特徴とする請求項１に記載の販売情報提供サーバ。
【請求項３】
販売者が使用する販売者端末と通信可能に接続され、
前記販売者が扱う商品の価格に関する情報を提供する販売情報提供方法であって、
商品に関するデータと、当該商品の現在の価格に関する価格データと、を対応付けて蓄積する商品価格データベースと、
前記販売者端末から指定された価格を受信し、当該指定された価格に応じた当該商品の販売予測確率を、商品価格データベースを参照することで算出するステップと、
算出した前記販売予測確率を、前記販売者端末に送信するステップと、
を備えることを特徴とする販売情報提供方法。
【請求項４】
販売者が使用する販売者端末と通信可能に接続され、
前記販売者が扱う商品の価格に関する情報を提供する販売情報提供サーバが実行する販売情報提供サーバ用プログラムであって、
商品に関するデータと、当該商品の現在の価格に関する価格データと、を対応付けて蓄積する商品価格データベース、
前記販売者端末から指定された価格を受信し、当該指定された価格に応じた当該商品の販売予測確率を、前記商品価格データベースを参照することで算出するステップ、
算出した前記販売予測確率を、前記販売者端末に送信するステップ、
を備えることを特徴とする販売情報提供サーバ用プログラム。
【発明の詳細な説明】
【技術分野】
【０００１】
本発明は、販売者が使用する販売者端末と通信可能に接続され、販売者が扱う商品の価格に関する情報を提供する販売情報提供サーバ、販売情報提供方法及び販売情報提供サーバ用プログラムに関する。
【背景技術】
【０００２】
近年、農家等の生産者が消費者に直接、商品を販売するために、生産者が販売用のウェブサイトの運営や管理を行っている。このような販売方式において、生産者である販売者は、自身が販売しようとする商品の商品価値と、この商品の市場価格とを考慮して、販売者の推測により商品の価格を決定している。
【０００３】
販売者による価格の推測は、例えば、自身が販売する商品の商品名をキーワードとして、他の販売者が運営する販売用のウェブサイトや小売店等における販売価格を参考にすることにより行われている。
【０００４】
また、他の販売者が運営する複数の店舗の中から、販売価格が最も安い店舗に関する情報を抽出し、この店舗における商品の価格を取得する構成が開示されている（特許文献１参照）。
【先行技術文献】
【特許文献】
【０００５】
【特許文献１】特開２０１４−８６０４１号公報
【発明の概要】
【発明が解決しようとする課題】
【０００６】
販売者が商品名をキーワードとして、他の販売者が運営する販売用のウェブサイトや小売店等の販売価格を参考にした場合、販売価格そのものは取得可能であるものの、これらの販売価格における販売予測を行うことが困難であるため、自身の商品における販売価格を推測することは困難であった。
【０００７】
また、特許文献１によれば、指定した商品情報に基づいて、複数の店舗のうち、販売価格が最も安い店舗に関する情報を抽出し、この店舗における指定した商品の価格を取得し、ユーザに通知することを行っている。
【０００８】
しかしながら、指定した商品情報のうち、単に最安値を取得しただけでは、販売者にとって、この価格が自身の商品にとって妥当であるか否かを判断することが困難であるとともに、この価格における売上げを予想することも困難であった。
【０００９】
そこで、本発明では、販売者が推測した価格に基づいた販売予測確率を示すことにより、商品の価格の推測を容易にすることが可能である点に着目した。
【００１０】
本発明は、販売者が妥当な価格を容易に推測することを可能にするとともに、この価格における売上げを予想することを容易にすることを可能にする販売情報提供サーバ、販売情報提供方法及び販売情報提供サーバ用プログラムを提供することを目的とする。
【課題を解決するための手段】
【００１１】
本発明では、以下のような解決手段を提供する。
【００１２】
第１の特徴に係る発明は、販売者が使用する販売者端末と通信可能に接続され、
前記販売者が扱う商品の価格に関する情報を提供する販売情報提供サーバであって、
商品に関するデータと、当該商品の現在の価格に関する価格データと、を対応付けて蓄積した商品価格データベースと、
前記販売者端末から指定された価格を受信し、当該指定された価格に応じた当該商品の販売予測確率を、前記商品価格データベースを参照することで算出する販売予測確率算出手段と、
算出した前記販売予測確率を、前記販売者端末に送信する販売予測確率送信手段と、
を備えることを特徴とする販売情報提供サーバを提供する。
【００１３】
第１の特徴に係る発明によれば、販売者が使用する販売者端末と通信可能に接続され、前記販売者が扱う商品の価格に関する情報を提供する販売情報提供サーバは、商品に関するデータと、当該商品の現在の価格に関する価格データと、を対応付けて蓄積した商品価格データベースを有し、前記販売者端末から指定された価格を受信し、当該指定された価格に応じた当該商品の販売予測確率を、前記商品価格データベースを参照することで算出し、算出した前記販売予測確率を、前記販売者端末に送信する。
【００１４】
ここで、第１の特徴に係る発明は、販売情報提供サーバのカテゴリであるが、販売情報提供方法又は販売情報提供サーバ用プログラム等の他のカテゴリにいても、そのカテゴリに応じた同様の作用・効果を発揮する。
【００１５】
第２の特徴に係る発明は、前記販売予測確率算出手段が、市場での価格を使用した曲線あてはめにより販売予測確率を算出することを特徴とする第１の特徴に係る発明である販売情報提供サーバを提供する。
【００１６】
第２の特徴に係る発明によれば、第１の特徴に係る発明である販売情報提供サーバは、市場での価格を使用した曲線あてはめにより販売予測確率を算出する。
【００１７】
第３の特徴に係る発明は、販売者が使用する販売者端末と通信可能に接続され、
前記販売者が扱う商品の価格に関する情報を提供する販売情報提供方法であって、
商品に関するデータと、当該商品の現在の価格に関する価格データと、を対応付けて蓄積する商品価格データベースと、
前記販売者端末から指定された価格を受信し、当該指定された価格に応じた当該商品の販売予測確率を、商品価格データベースを参照することで算出するステップと、
算出した前記販売予測確率を、前記販売者端末に送信するステップと、
を備えることを特徴とする販売情報提供方法を提供する。
【００１８】
第４の特徴に係る発明は、販売者が使用する販売者端末と通信可能に接続され、
前記販売者が扱う商品の価格に関する情報を提供する販売情報提供サーバが実行する販売情報提供サーバ用プログラムであって、
商品に関するデータと、当該商品の現在の価格に関する価格データと、を対応付けて蓄積する商品価格データベース、
前記販売者端末から指定された価格を受信し、当該指定された価格に応じた当該商品の販売予測確率を、商品価格データベースを参照することで算出するステップ、
算出した前記販売予測確率を、前記販売者端末に送信するステップ、
を備えることを特徴とする販売情報提供サーバ用プログラムを提供する。
【発明の効果】
【００１９】
本発明によれば、販売者が妥当な価格を容易に推測することを可能にするとともに、この価格における売上げを予想することを容易にすることを可能にする販売情報提供サーバ、販売情報提供方法及び販売情報提供サーバ用プログラムを提供することが可能となる。
【図面の簡単な説明】
【００２０】
【図１】図１は、販売情報提供システム１の概念図である。
【図２】図２は、販売情報提供システム１の全体構成図である。
【図３】図３は、販売情報提供サーバ１０及び販売者端末１００の機能ブロック図である。
【図４】図４は、販売情報提供サーバ１０及び販売者端末１００が実行する販売情報提供処理を示すフローチャートである。
【図５】図５は、販売者端末１００が表示する商品データ入力受付画面を示す図である。
【図６】図６は、販売情報提供サーバ１０が記憶する商品データデータベースを示す図である。
【図７】図７は、販売情報提供サーバ１０が記憶する販売サイトデータベースを示す図である。
【図８】図８は、販売情報提供サーバ１０が記憶する販売データデータベースを示す図である。
【図９】図９は、販売情報提供サーバ１０が記憶する商品価格データベースを示す図である。
【図１０】図１０は、販売情報提供サーバ１０が生成する商品価格グラフを示す図である。
【図１１】図１１は、販売者端末１００が表示する商品データ入力受付画面を示す図である。
【図１２】図１２は、販売者端末１００が表示する商品価格グラフを示す図である。
【図１３】図１３は、販売者端末１００が表示する商品価格グラフを示す図である。
【図１４】図１４は、販売者端末１００が表示する商品価格グラフを示す図である。
【発明を実施するための形態】
【００２１】
以下、本発明を実施するための最良の形態について図を参照しながら説明する。なお、これはあくまでも一例であって、本発明の技術的範囲はこれに限られるものではない。
【００２２】
［販売情報提供システム１の概要］
本発明の概要について、図１に基づいて説明する。販売情報提供システム１は、販売情報提供サーバ１０及び販売者端末１００から構成される。
【００２３】
販売情報提供サーバ１０は、販売者端末１００とデータ通信を実行するサーバ装置である。販売情報提供サーバ１０は、販売者端末１００と通信可能に接続されており、販売者が扱う商品の価格に関するデータを提供する。また、販売情報提供サーバ１０は、商品に関するデータと、この商品の現在の価値に関する価格データとを対応付けて蓄積した商品価格データベースを有する。また、販売情報提供サーバ１０は、販売者端末１００が指定した価格を受信し、指定された価格に応じたこの商品の販売予測確率を、商品価格データベースを参照することにより算出する。また、販売情報提供サーバ１０は、算出した販売予測確率を販売者端末１００に送信する。
【００２４】
また、販売者端末１００は、データ通信機能を備え、販売情報提供サーバ１０とデータ通信を実行する家庭用又は業務用の電化製品である。販売者端末１００は、例えば、携帯電話、携帯情報端末、パーソナルコンピュータに加え、ネットブック端末、スレート端末、電子書籍端末、携帯型音楽プレーヤ等の情報家電である。
【００２５】
販売者端末１００は、販売情報提供サーバ１０に、販売者が指定した価格を送信する。また、販売者端末１００は、販売者情報提供サーバ１０が送信した販売予測確率を受信し、自身に表示する。
【００２６】
はじめに、販売者端末１００は、商品データの入力を受け付ける（ステップＳ０１）。本実施形態における商品データとは、商品名、販売希望量、生産方法、産地、大きさ、出荷可能量である。
【００２７】
販売者端末１００は、受け付けた商品データを販売情報提供サーバ１０に送信する（ステップＳ０２）。販売情報提供サーバ１０は、受信した商品データを商品データデータベースとして記憶する。
【００２８】
販売情報提供サーバ１０は、記憶した商品データデータベースに含まれる商品名に基づいて、複数の他の販売者が市場で販売するこの商品の商品名及び価格を販売データとして取得する（ステップＳ０３）。ステップＳ０３において、販売情報提供サーバ１０は、インターネット等の公衆回線網を介して、販売データを取得する。また、ステップＳ０３において、販売情報提供サーバ１０は、取得した販売データを解析し、この商品の価格のうち、最安値の価格と最高値の価格とを取得する。なお、ステップＳ０３において、販売情報提供サーバ１０が取得する販売データには、販売希望量、生産方法、産地、大きさ等の商品に関する他のデータが含まれていても良い。また、販売情報提供サーバ１０は、商品の価格として、最安値の価格と最高値の価格以外の他の価格をさらに取得しても良い。
【００２９】
販売情報提供サーバ１０は、商品に関するデータである商品データと、価格が含まれる販売データとを対応付けて蓄積し、商品価格データベースとして記憶する（ステップＳ０４）。
【００３０】
販売者端末１００は、商品の価格の入力を受け付け、ユーザが指定した商品の価格のデータを販売情報提供サーバ１０に送信する（ステップＳ０５）。
【００３１】
販売情報提供サーバ１０は、販売者端末１００から指定された価格のデータを受信し、この指定された価格に応じた商品の販売予測確率を、商品価格データベースを参照することで算出する（ステップＳ０６）。ステップＳ０６において、販売情報提供サーバ１０は、例えば、最小二乗法等の曲線あてはめにより、販売予測確率を算出する。
【００３２】
販売情報提供サーバ１０は、算出した販売予測確率のデータを、販売者端末１００に送信する（ステップＳ０７）。
【００３３】
販売者端末１００は、販売情報提供サーバ１０が送信した販売予測確率のデータを受信する。販売者端末１００は、受信した販売予測確率のデータに基づいて、販売予測確率を自身に表示する（ステップＳ０８）。
【００３４】
以上が、販売情報提供システム１の概要である。
【００３５】
［販売情報提供システム１のシステム構成］
図２は、本発明の好適な実施形態である販売情報提供システム１のシステム構成図である。販売情報提供システム１は、販売情報提供サーバ１０、販売者端末１００及び公衆回線網３（インターネット網や第３世代、第４世代通信網等）から構成される。
【００３６】
販売情報提供サーバ１０は、後述の機能を備え、データ通信を実行するサーバ装置である。販売情報提供サーバ１０は、販売者端末１００が送信した各種データの受信や、他のサーバや他の端末等から、各種データの取得や、販売者端末１００へ各種データの送信を実行する。また、販売情報提供サーバ１０は、後述する販売予測確率の算出や、グラフの生成等の各種処理を実行する。また、販売情報提供サーバ１０は、後述する商品データデータベース、販売サイトデータベース、販売データデータベース、商品価格データベースを記憶する。
【００３７】
販売者端末１００は、データ通信機能を備え、販売情報提供サーバ１０とデータ通信を実行する家庭用又は業務用の電化製品である。販売者端末１００は、例えば、携帯電話、携帯情報端末、パーソナルコンピュータに加え、ネットブック端末、スレート端末、電子書籍端末、携帯型音楽プレーヤ等の情報家電である。
【００３８】
販売者端末１００は、販売情報提供サーバ１０に各種データを送信する。また、販売者端末１００は、販売情報提供サーバ１０から各種データを受信する。また、販売者端末１００は、販売情報提供サーバ１０から受信した各種データを表示する。
【００３９】
［各機能の説明］
図３に基づいて、各装置の構成について説明する。
【００４０】
販売情報提供サーバ１０は、制御部１１として、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、通信部１２として、他の機器と通信可能にするためのデバイス、例えば、ＩＥＥＥ８０２．１１に準拠したＷｉＦｉ（Ｗｉｒｅｌｅｓｓ  Ｆｉｄｅｌｉｔｙ）対応デバイスを備える。また、販売情報提供サーバ１０は、記憶部１３として、ハードディスクや半導体メモリ、記録媒体、メモリカード等によるデータのストレージ部を備える。また、記憶部１３には、後述する商品データデータベース、販売サイトデータベース、販売データデータベース、商品価格データベースが含まれる。
【００４１】
販売情報提供サーバ１０において、制御部１１が所定のプログラムを読み込むことで、通信部１２と協働して、販売データ取得モジュール２０、データ送受信モジュール２１を実現する。また、販売情報提供サーバ１０において、制御部１１が所定のプログラムを読み込むことで、記憶部１３と協働して、データ記憶モジュール３０、グラフ生成モジュール３１、販売予測確率算出モジュール３２を実現する。
【００４２】
販売者端末１００は、販売情報提供サーバ１０と同様に、制御部１１０として、ＣＰＵ、ＲＡＭ、ＲＯＭ等を備え、通信部１２０として、他の機器と通信可能にするためのデバイス、例えば、ＩＥＥＥ８０２．１１に準拠したＷｉＦｉ対応デバイスを備える。また、販売者端末１００は、入出力部１３０として、制御部で制御したデータや画像を出力表示する表示部と、ユーザからの入力を受け付けるタッチパネルやキーボード、マウスといった入力部を備える。
【００４３】
販売者端末１００において、制御部１１０が所定のプログラムを読み込むことで、通信部１２０と協働して、データ送受信モジュール１４０を実現する。また、販売者端末１００において、制御部１１０が所定のプログラムを読み込むことで、入出力部１３０と協働して、入力受付モジュール１５０を実現する。
【００４４】
［販売情報提供処理］
図４は、販売情報提供サーバ１０及び販売者端末１００が実行する販売情報提供処理のフローチャートである。上述した各装置のモジュールが実行する処理について、本処理に併せて説明する。
【００４５】
はじめに、販売者端末１００の入力受付モジュール１５０は、商品データの入力を受け付けたか否かを判断する（ステップＳ１０）。ステップＳ１０において、入力受付モジュール１５０が受け付ける商品データとは、商品名、販売希望量、生産方法、産地、大きさ、出荷可能量である。なお、入力受付モジュール１５０は、少なくとも商品名の入力を受け付けたか否かを判断すればよく、それ以外の商品データは、入力が行われなくとも良い。
【００４６】
ステップＳ１０において、販売者端末１００の入力受付モジュール１５０は、所定のアプリケーションを起動し、図５に示す商品データ入力受付画面を表示する。入力受付モジュール１５０は、商品データ入力ウインドウ３００の各項目への入力を受け付ける。図５において、商品データ入力ウインドウ３００は、「商品名」、「販売希望量」、「生産方法」、「産地」、「大きさ」、「出荷可能量」の各項目と、各項目への入力用ウインドウを表示する。
【００４７】
ステップＳ１０において、販売者端末１００の入力受付モジュール１５０は、商品データの入力を受け付けていないと判断した場合（ステップＳ１０  ＮＯ）、入力を受け付けるまで本処理を繰り返す。
【００４８】
一方、ステップＳ１０において、販売者端末１００の入力受付モジュール１５０は、商品データの入力を受け付けたと判断した場合（ステップＳ１０  ＹＥＳ）、販売者端末１００のデータ送受信モジュール１４０は、受け付けた商品データを販売情報提供サーバ１０に送信する（ステップＳ１１）。
【００４９】
本実施形態において、入力受付モジュール１５０は、「商品名」として「じゃがいも」を、「販売希望量」として「１０ｋｇ」を、「生産方法」として「無農薬」を、「産地」として「日本国、北海道産」を、「大きさ」として「Ｍサイズ」を、「出荷可能量」として「１ｔ」を其々入力される。なお、入力受付モジュール１５０は、「商品名」の項目の入力を受け付けたか否かのみを判断し、商品データの入力を受け付けたか否かを判断しても良いし、上述した各項目のいずれか又は複数の入力を受け付けたか否かを判断し、商品データの入力を受け付けたか否かを判断しても良い。また、入力受付モジュール１５０が表示する商品データ入力ウインドウ３００は、他の項目が表示されていても良いし、「商品名」以外の項目のいずれか又は複数が表示されていなくても良い。
【００５０】
販売情報提供サーバ１０のデータ送受信モジュール２１は、販売者端末１００が送信した商品データを受信する。販売情報提供サーバ１０のデータ記憶モジュール３０は、受信した商品データを図６に示す商品データデータベースとして記憶する（ステップＳ１２）
【００５１】
［商品データデータベース］
図６は、販売情報提供サーバ１０のデータ記憶モジュール３０が記憶する商品データデータベースを示す図である。データ記憶モジュール３０は、商品データに含まれる各データと、この各データに対して販売者端末１００において入力され、受信したデータとを対応付けて記憶する。すなわち、図６において、データ記憶モジュール３０は、「商品名」として「じゃがいも」を、「販売希望量」として、「１０ｋｇ」を、「生産方法」として、「無農薬」を、「産地」として、「日本国、北海道」を、「大きさ」として、「Ｍサイズ」を、「出荷可能量」として「１ｔ」を、其々対応付けて記憶する。なお、データ記憶モジュール３０は、商品データとして他のデータが含まれる場合、この他のデータと、この他のデータに対して販売者端末１００において入力され、受信したデータとを対応付けて記憶しても良い。また、データ記憶モジュール３０は、商品データに含まれるデータのうちのいずれかを記憶していても良い。この場合、データ記憶モジュール３０は、少なくとも商品データとして「商品名」を記憶していれば良い。
【００５２】
次に、販売情報提供サーバ１０の販売データ取得モジュール２０は、ステップＳ１２において記憶した商品データデータベースに基づいて、この商品の販売データを複数取得する（ステップＳ１３）。販売データ取得モジュール２０が取得する販売データとは、販売者端末１００が入力を受け付けた商品の現在の価格に関する価格データである。ステップＳ１３において、販売情報提供サーバ１０の販売データ取得モジュール２０は、他の販売者の販売データを、インターネットショッピングサイト等の販売者が商品を販売するウェブサイトから取得する。
【００５３】
販売情報提供サーバ１０のデータ記憶モジュール３０は、販売データ取得モジュール２０が販売データを取得するウェブサイトのＵＲＬを予め記憶しており、ウェブサイトの名称と、リンク先ＵＲＬとを対応付けた図７に示す販売サイトデータベースとして記憶する。販売データ取得モジュール２０は、このリンク先ＵＲＬにアクセスし、受信した商品データに含まれる商品名を抽出することにより、この商品の販売データを取得する。なお、販売データ取得モジュール２０は、インターネット等の公衆回線網を介して、検索サイト等により、商品データに含まれる商品名を検索し、検索結果に含まれる販売データを抽出し、取得しても良い。
【００５４】
［販売サイトデータベース］
図７は、販売情報提供サーバ１０のデータ記憶モジュール３０が記憶する販売サイトデータベースを示す図である。図７において、データ記憶モジュール３０は、ウェブサイトの名称と、リンク先ＵＲＬとを対応付けて記憶する。データ記憶モジュール３０は、ウェブサイトの名称である「ＡＡ市場」と、リンク先ＵＲＬである「ｈｔｔｐ：／／ｗｗｗ.ｘｘｘ.ｘｘｘ.ｃｏｍ／」とを対応付けて記憶する。また、データ記憶モジュール３０は、ウェブサイトの名称である「ＢＢ．ｃｏｍ」と、リンク先ＵＲＬである「ｈｔｔｐ：／／ｗｗｗ.ｙｙｙ.ｃｏｍ／」とを対応付けて記憶する。また、データ記憶モジュール３０は、ウェブサイトの名称である「ＣＣショッピング」と、リンク先ＵＲＬである「ｈｔｔｐ：／／ｗｗｗ.ｚｚｚ.ｃｏ.ｊｐ／」とを対応付けて記憶する。また、データ記憶モジュール３０は、ウェブサイトの名称である「ＤＤＤ」と、リンク先ＵＲＬである「ｈｔｔｐ：／／ｗｗｗ.ａｂａｂ.ｃｏ.ｊｐ／」とを対応付けて記憶する。なお、データ記憶モジュール３０は、ウェブサイトの名称及びリンク先ＵＲＬ以外に、検索サイト等の他のウェブサイトへのリンク先ＵＲＬを記憶していても良いし、他のウェブサイトの名称及びリンク先ＵＲＬを記憶していても良い。
【００５５】
販売情報提供サーバ１０のデータ記憶モジュール３０は、ステップＳ１３において取得した販売データを、図８に示す販売データデータベースとして記憶する（ステップＳ１４）。
【００５６】
図８は、販売情報提供サーバ１０のデータ記憶モジュール３０が記憶する販売データデータベースを示す図である。データ記憶モジュール３０は、商品の現在の販売データを記憶する。また、データ記憶モジュール３０は、複数の販売データを記憶する。図８において、データ記憶モジュール３０は、販売データ取得モジュール２０が取得した複数の販売データのうち、価格データが最高値であるものを、販売最高値とし、この金額を記憶する。また、データ記憶モジュール３０は、販売データ取得モジュール２０が取得した複数の販売データのうち、価格データが最安値であるものを、販売最安値とし、この金額を記憶する。また、データ記憶モジュール３０は、販売データ取得モジュール２０が取得した複数の販売データのうち、価格データが最安値でも最高値でもないものを、販売価格として記憶する。データ記憶モジュール３０は、販売データデータベースにおいて、価格が高い順に並べ直して記憶する。なお、データ記憶モジュール３０は、販売データ取得モジュール２０が取得した価格データの順番に基づいて記憶しても良いし、価格データが安い順に並べ直して記憶しても良いし、販売最高値及び販売最安値のみを記憶していても良いし、他の並び順で記憶していても良い。
【００５７】
図８において、販売情報提供サーバ１０のデータ記憶モジュール３０は、「販売最高値」として、「２４８０円」を、「販売価格１」として、「２０００円」を、「販売価格２」として、「１８００円」を、「販売価格３」として、「１６００円」を、「販売最安値」として、「１４８０円」を、其々記憶する。
【００５８】
販売情報提供サーバ１０のデータ記憶モジュール３０は、上述した商品データデータベースと、販売データデータベースとを対応付けて図９に示す商品価格データベースを蓄積し、記憶する（ステップＳ１５）。
【００５９】
［商品価格データベース］
図９は、販売情報提供サーバ１０のデータ記憶モジュール３０が記憶する商品価格データベースを示す図である。データ記憶モジュール３０は、上述した商品データベースと販売データデータベースとを対応付けて、記憶する。なお、データ記憶モジュール３０が記憶する商品価格データベースにおいて、販売最高値、販売最安値、販売価格は、販売データ取得モジュール２０が取得した時点、すなわち現在における価格データを示しており、これらの価格データに変化があった場合は、随時価格データを更新する。なお、データ記憶モジュール３０は、商品価格データベースにおいて、販売最高値、販売最安値、販売価格に関する価格データに変化があった場合、日時等を追加し、新たに取得した価格データを異なる価格データとして蓄積して記憶するようにしても良い。すなわち、以前までの価格データと、現在の価格データとの両方の価格データを記憶していても良い。このようにすることにより、以前の価格データを保持した状態で、最新の価格データを反映することが可能となる。
【００６０】
販売情報提供サーバ１０のグラフ生成モジュール３１は、ステップＳ１５において記憶した商品価格データベースを参照し、商品の価格データに基づいて図１０に示す商品価格グラフを生成する（ステップＳ１６）。
【００６１】
［商品価格グラフ］
図１０は、販売情報提供サーバ１０のグラフ生成モジュール３１が生成する商品価格グラフを示す図である。図１０において、縦軸は、価格を表す。グラフ生成モジュール３１は、価格が５００円ごとに目盛りを生成し、販売最高値、販売最安値、販売価格の各々を所定の表示態様として生成する。図１０において、グラフ生成モジュール３１は、販売最高値の表示態様である販売最高値アイコン４１０を、該当する位置に生成する。また、グラフ生成モジュール３１は、販売最安値の表示態様である販売最安値アイコン４２０を、該当する位置に生成する。また、グラフ生成モジュール３１は、販売価格１〜３の表示態様である販売価格アイコン４３０を、販売価格１〜３の各々に該当する位置に生成する。なお、グラフ生成モジュール３１が生成する販売最高値アイコン４１０、販売最安値アイコン４２０、販売価格アイコン４３０は、他の表示態様であっても良く、適宜変更可能である。また、目盛りや縦軸等は、適宜変更可能である。
【００６２】
次に、販売者端末１００の入力受付モジュール１５０は、商品の価格データの入力を受け付けたか否かを判断する（ステップＳ１７）。ステップＳ１７において、入力受付モジュール１５０は、所定のアプリケーションを起動し、図１１に示す商品データ入力受付画面を自身に表示する。図１１において、入力受付モジュール１５０は、商品データ入力画面情報に、販売希望額入力ウインドウ３１０を表示する。入力受付モジュール１５０は、この販売希望額入力ウインドウ３１０に、価格データの入力が行われたか否かを判断する。
【００６３】
ステップＳ１７において、入力受付モジュール１５０は、商品の価格データの入力が行われていない場合、商品の価格データの入力を受け付けていないと判断し（ステップＳ１７  ＮＯ）、価格データの入力を受け付けるまで、本処理を繰り返す。
【００６４】
一方、ステップＳ１７において、入力受付モジュール１５０は、商品の価格データの入力が行われた場合、商品の価格データの入力を受け付けたと判断し（ステップＳ１７  ＹＥＳ）、販売者端末１００のデータ送受信モジュール１４０は、受け付けた商品の価格データを販売情報提供サーバ１０に送信する（ステップＳ１８）。本実施形態において、入力受付モジュール１５０は、価格データとして、「１６５０円」の入力が行われたものとして説明する。
【００６５】
販売情報提供サーバ１０のデータ送受信モジュール２１は、販売者端末１００が送信した価格データを受信する。販売情報提供サーバ１０の販売予測確率算出モジュール３２は、上述した商品価格データベースを参照することにより、販売者端末１００により指定された価格データに応じたこの商品の販売予測確率を算出する（ステップＳ１９）。
【００６６】
ステップＳ１９において、販売情報提供サーバ１０の販売予測確率算出モジュール３２は、商品価格データベースにおいて記憶した販売最高値と販売最安値とに基づいて、最小二乗法等の曲線あてはめにより、販売予測確率を算出する。販売予測算出モジュール３２が、販売最高値と販売最安値との２点のみにおいて、販売予測確率を算出する場合について説明する。また、以下の説明において、販売予測確率算出モジュール３２が使用する販売予測確率は、販売最高値の場合１０％であり、販売最安値の場合１００％であるものとする。また、販売最高値は、上述した商品価格データベースに記憶した「２４８０円」であり、販売最安値は、上述した商品価格データベースに記憶した「１４８０円」である。
【００６７】
販売情報提供サーバ１０の販売予測確率算出モジュール３２は、Ｘ軸を価格、Ｙ軸を確率とし、１次関数で近似した場合、Ｙ＝ＡＸ＋Ｂにおいて、販売最高値は、（Ｘ，Ｙ）＝（２４８０，１０）であり、販売最安値は、（Ｘ，Ｙ）＝（１４８０，１００）であることから、傾きＡ及び切片Ｂを算出する。販売予測確率算出モジュール３２は、上述した式から、傾きＡ＝−０．０９と算出し、切片Ｂ＝２３３．２と算出する。そのうえで、上述した式に算出した傾きＡ及び切片Ｂの値を代入し、Ｙ＝−０．０９Ｘ＋２３３．２を算出する。この式に、ステップＳ１８において、販売者端末１００が送信した価格データである「１６５０円」をＸに代入し、Ｙ＝８４．７％を算出する。このＹの値が販売予測確率である。
【００６８】
なお、販売情報提供サーバ１０の販売予測確率算出モジュール３２は、他の方法で販売予測確率を算出しても良いし、販売最高値と、販売最安値と、販売価格とを利用して販売予測確率を算出しても良い。
【００６９】
販売情報提供サーバ１０のグラフ生成モジュール３１は、ステップＳ１９において、販売予測確率算出モジュールが算出した販売予測確率を、ステップＳ１６において生成した商品価格グラフに付与し、この商品価格グラフのデータを販売者端末１００に送信する（ステップＳ２０）。ステップＳ２０において、グラフ生成モジュール３１は、販売予測確率と、この販売予測確率が算出された価格データとを、この価格データに該当する位置に付与する。
【００７０】
販売者端末１００のデータ送受信モジュール１４０は、販売情報提供サーバ１０が送信した商品価格グラフのデータを受信する。販売者端末１００の入力受付モジュール１５０は、所定のアプリケーションを起動し、受信した商品価格グラフのデータに基づいて、図１２に示す商品価格グラフ表示画面を表示する（ステップＳ２１）。
【００７１】
図１２において、縦軸は、価格を表す。入力受付モジュール１５０は、商品価格グラフのデータに基づいて、価格が５００円ごとに目盛りを表示し、販売最高値、販売最安値、販売価格、ステップＳ１７において入力を受け付けた価格データ及びこの価格データにおける販売予測確率の各々を所定の表示態様として該当する位置に表示する。図１２において、入力受付モジュール１５０は、販売最高値の表示態様である販売最高値アイコン４１０を、該当する位置に表示する。また、入力受付モジュール１５０は、販売最安値の表示態様である販売最安値アイコン４２０を、該当する位置に表示する。また、入力受付モジュール１５０は、価格データ及びこの価格データにおける販売予測確率を示す確率表示ウインドウ４００を、この価格データが該当する位置に表示する。この確率表示ウインドウ４００は、ユーザから入力を受け付け、縦軸に沿ってドラッグすることが可能である。
【００７２】
なお、入力受付モジュール１５０が表示する確率表示ウインドウ４００、販売最高値アイコン４１０、販売最安値アイコン４２０、他の表示態様であっても良く、適宜変更可能である。また、確率表示ウインドウ４００は、入力受付モジュール１５０が、ユーザからの音声を音声認識し、音声認識した指示に基づいて移動しても良い。また、入力受付モジュール１５０は、販売価格１〜３の表示態様である販売価格アイコン４３０を、販売価格１〜３の各々に該当する位置に表示しても良い。
【００７３】
販売者端末１００の入力受付モジュール１５０は、ユーザが、確率表示ウインドウ４００をドラッグさせたか否かを判断する（ステップＳ２２）。ステップＳ２２において、ユーザが確率表示ウインドウ４００をドラッグさせていないと判断した場合（ステップＳ２２  ＮＯ）、本処理を終了する。
【００７４】
一方、販売者端末１００の入力受付モジュール１５０は、ユーザが確率表示ウインドウ４００をドラッグさせたと判断した場合（ステップＳ２２  ＹＥＳ）、この確率表示ウインドウ４００がドラッグされた地点における価格データを図１３に示す商品価格グラフにおいて、確率表示ウインドウ４００に表示する（ステップＳ２３）。なお、ステップＳ２３において、入力受付モジュール１５０が確率表示ウインドウ４００に表示する価格データは、ドラッグに合わせて随時その地点における価格データを表示しても良いし、ドラッグを停止した地点における価格データを表示しても良い。本実施形態において、確率表示ウインドウ４００がドラッグされた地点は、価格データが「２２５０円」の地点として説明する。
【００７５】
販売者端末１００のデータ送受信モジュール１４０は、ステップＳ２３において、入力受付モジュール１５０が確率表示ウインドウ４００に表示した価格データを販売情報提供サーバ１０に送信する（ステップＳ２４）。
【００７６】
販売情報提供サーバ１０のデータ送受信モジュール２１は、販売者端末１００が送信した価格データを受信する。販売情報提供サーバ１０の販売予測確率算出モジュール３２は、受信した価格データにおける販売予測確率を算出する（ステップＳ２５）。ステップＳ２５において、販売予測確率算出モジュール３２は、上述したステップＳ１９と同様の処理により販売予測確率を算出する。今回における販売予測確率は、「３０．７％」である。
【００７７】
販売情報提供サーバ１０のデータ送受信モジュール２１は、ステップＳ２５において算出した販売予測確率のデータを販売者端末１００に送信する（ステップＳ２６）。
【００７８】
販売者端末１００のデータ送受信モジュール１４０は、販売情報提供サーバ１０が送信した販売予測確率のデータを受信する。販売者端末１００の入力受付モジュール１５０は、受信した販売予測確率のデータに基づいて、図１４に示す商品価格グラフにおいて、確率表示ウインドウ４００にこの地点における販売予測確率を表示する（ステップＳ２７）。
【００７９】
以上が、販売情報提供処理である。
【００８０】
上述した手段、機能は、コンピュータ（ＣＰＵ、情報処理装置、各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置又は外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００８１】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００８２】
１  販売情報提供システム、１０  販売情報提供サーバ、１００  販売者端末
【図１】
2017021665.tif 000003
【図２】
2017021665.tif 000004
【図３】
2017021665.tif 000005
【図４】
2017021665.tif 000006
【図５】
2017021665.tif 000007
【図６】
2017021665.tif 000008
【図７】
2017021665.tif 000009
【図８】
2017021665.tif 000010
【図９】
2017021665.tif 000011
【図１０】
2017021665.tif 000012
【図１１】
2017021665.tif 000013
【図１２】
2017021665.tif 000014
【図１３】
2017021665.tif 000015
【図１４】
2017021665.tif 000016